(57)【要約】【課題】  蓋体を容易に取り扱うことができる棺、並びに、火葬場の規格等に合わないような形状、寸法及び材質等を比較的自由に選択できる外棺を備える棺を提供すること。【解決手段】  外棺８内に内棺９が収容され、外棺８は、開口部２０を有する外箱体１０と、開口部２０を覆う第１及び第２の外蓋体１１、１２とを備え、第１及び第２の外蓋体１１、１２は、閉蓋状態でそれぞれが開口部２０の長手方向に沿う矩形の形状であり、開口部２０の幅方向に沿って配置されるものである。【選択図】      図４
2005218471.tif 000002
【特許請求の範囲】
【請求項１】
周壁縁部によって形成された開口部を有する箱体と、前記開口部を覆う蓋体とを備える棺において、
前記蓋体は、閉蓋状態でそれぞれが前記開口部の長手方向に沿う形状であり、前記開口部の幅方向に沿って配置される第１の蓋体及び第２の蓋体から成ることを特徴とする棺。
【請求項２】
前記第１及び第２の蓋体が閉蓋状態で互いに向かい合うそれぞれの縁部に突起が設けられ、前記第１及び第２の蓋体の各内面を前記箱体の一対の長手方向に沿う各側壁外面にそれぞれ対向させた状態で、前記各突起が前記箱体の長手方向に沿う各側壁縁部に係合可能であることを特徴とする請求項１記載の棺。
【請求項３】
前記箱体の幅方向に沿う側壁縁部に突条及び溝部のうちの一方を設け、前記突条及び溝部の一方に嵌り合って案内される凹部及び凸部のうちの一方を前記第１及び第２の蓋体のそれぞれに形成したことを特徴とする請求項１又は２記載の棺。
【請求項４】
前記第１及び第２の蓋体に拝顔用窓、及び前記拝顔用窓を覆う窓蓋を設けたことを特徴とする請求項１乃至３のいずれかに記載の棺。
【請求項５】
請求項１乃至４のいずれかに記載の棺を外棺とし、前記外棺内に内棺が収容されていることを特徴とする棺。
【請求項６】
前記外棺の長手方向の各端部のうち少なくとも一方の端部に前記内棺の出し入れ口を設けると共に、前記内棺を前記出し入れ口に対する出し入れ方向に案内する案内部を設け、更に前記出し入れ口を覆う扉を設けたことを特徴とする請求項５記載の棺。
【請求項７】
前記案内部は、前記内棺を支持するローラであることを特徴とする請求項６記載の棺。
【発明の詳細な説明】
【技術分野】
【０００１】
本発明は、蓋体を容易に取り扱うことができる棺、及び外棺内に内棺が収容されている棺に関する。
【背景技術】
【０００２】
従来の棺として、例えば図１２に示すものがある（例えば、特許文献１参照。）。この棺１は、直方体形状の箱体２を有し、箱体２は上方に開口する開口部が蓋体３によって閉じられている。蓋体３には、拝顔用窓４が形成されており、この拝顔用窓４は窓蓋５、５によって閉じられている。この棺１によると、窓蓋５、５を開けることによって拝顔することができる。そして、花や遺品等の副葬品は、蓋体３を箱体２から取り外した状態にして箱体２内に納めることができる。そして、この取り外された蓋体３は、副葬品を箱体２内に入れるときの邪魔にならないように、会場の壁等に立て掛けられる。
【特許文献１】特開２００３−３０５０９３号公報
【発明の開示】
【発明が解決しようとする課題】
【０００３】
しかし、図１２に示す従来の棺１では、花等の副葬品を棺１内に納めるときに、蓋体３を壁等に立て掛けるが、嵩の大きい蓋体３を箱体２から取り外して壁の所まで持って行くときや、壁に立て掛けられた蓋体３を箱体２の所まで持って来るときに、蓋体３を壁や天井、若しくは参列者等に接触させることがあり、このような事は避けなければならない。
【０００４】
なお、蓋体３を壁等に立て掛けないようにするために、例えば棺１が載置されている台上に、蓋体３を横に倒した状態にして箱体２に立て掛けることも考えられる。しかし、蓋体３の横幅Ｗ１が箱体２の高さＨ１よりも大きいので、蓋体３の長手方向に沿う縁部が箱体２の側壁上縁部よりも上方に突出することとなり、蓋体３が副葬品を納めるときの邪魔になるし、見栄えが悪い。
【０００５】
また、図１２に示す従来の棺１では、火葬場の規格（火葬炉で火葬できる規格等）に合うように形成する必要がある。つまり、火葬することができる材質（例えば木製）にする必要があるし、火葬場の火葬炉に入れることができる寸法にする必要がある。しかも、霊柩車に乗せられる大きさに形成する必要もある。
【０００６】
従って、従来の棺１では、形状や寸法等を選択するときの幅が狭いので、葬儀を行う者の棺に対する要望を十分に満たすことができなかった。
【０００７】
また、例えば葬儀会場では、火葬場の規格外の形状及び寸法等の棺に遺体を納棺して葬儀を行い、火葬場において、規格外の棺に納められた遺体を規格内の棺１に移し替えて火葬することがある。しかし、火葬場で遺体を別の棺１に移し替えることは、遺族の心情を察すると好ましくないことである。
【０００８】
本発明は、上記のような課題を解決するためになされたものであり、蓋体を容易に取り扱うことができる棺、並びに、形状、寸法及び材質等を比較的自由に選択できる外棺内に、例えば火葬場の規格等に合った内棺が収容されている棺を提供することを目的としている。
【課題を解決するための手段】
【０００９】
本発明は、周壁縁部によって形成された開口部を有する箱体と、前記開口部を覆う蓋体とを備える棺において、前記蓋体は、閉蓋状態でそれぞれが前記開口部の長手方向に沿う形状であり、前記開口部の幅方向に沿って配置される第１の蓋体及び第２の蓋体から成ることを特徴とするものである。
【００１０】
この発明の棺によると、第１及び第２の蓋体を箱体開口部の幅方向に沿って配置することによって、この開口部を覆うことができる形状であるので、第１及び第２の蓋体のそれぞれの幅を、１枚の蓋体とした場合と比較して小さくすることができる。よって、第１及び第２の蓋体のそれぞれの幅が箱体の高さよりも小さくなるように形成することが可能である。このように形成すると、例えば第１及び第２の蓋体を開けたときに、各蓋体を横に倒した状態にして箱体の長手方向の各側壁に引っ掛けて装着するようにできるし、棺が載置されている台上に、各蓋体を横に倒した状態にしてそれらの各側壁に立て掛けることもできる。なぜなら、各蓋体を箱体に装着したり立て掛けた状態で、各蓋体の長手方向と平行する縁部が箱体の側壁上縁部よりも上方に突出する量を小さくできるし、全く突出しないようにもできるので、各蓋体が副葬品を納めるときの邪魔にならないからである。
【００１１】
そして、この発明において、前記第１及び第２の蓋体が閉蓋状態で互いに向かい合うそれぞれの縁部に突起が設けられ、前記第１及び第２の蓋体の各内面を前記箱体の一対の長手方向に沿う各側壁外面にそれぞれ対向させた状態で、前記各突起が前記箱体の長手方向に沿う各側壁縁部に係合可能であるようにできる。このようにすると、第１及び第２の蓋体を開けたときに、各蓋体の内面を箱体の長手方向の各側壁外面にそれぞれ対向させた状態で、それぞれの突起をそれら各側壁縁部に係合させて、第１及び第２の各蓋体を吊り下げることができる。従って、第１及び第２の蓋体が副葬品を納めるときの邪魔にならないようにすることができる。
【００１２】
また、この発明において、前記箱体の幅方向に沿う側壁縁部に突条及び溝部のうちの一方を設け、前記突条及び溝部の一方に嵌り合って案内される凹部及び凸部のうちの一方を前記第１及び第２の蓋体のそれぞれに形成したものとすることができる。このようにすると、第１及び第２の蓋体を開けるときは、各蓋体に設けられているそれぞれの凹部又は凸部を、箱体の幅方向の各側壁縁部に設けられている突条又は溝部に嵌合させて、この嵌合させた状態で、各蓋体を幅方向の外側に互いに離れる方向に移動させる。このようにして、開蓋状態にすることができる。そして、各蓋体を上記と逆の方向に移動させることによって、閉蓋状態にすることができる。このように、各蓋体を短い移動距離で静かに開蓋位置又は閉蓋位置に向かわせることができる。
【００１３】
更に、この発明において、前記第１及び第２の蓋体に拝顔用窓、及び前記拝顔用窓を覆う窓蓋を設けるようにしてもよい。このようにすると、第１及び第２の蓋体を開けずに、窓蓋を開けることによって拝顔することができて便利である。
【００１４】
そして、この発明の棺を外棺とし、前記外棺内に内棺が収容されているものとすることができる。このようにすると、例えば内棺を火葬できるように火葬場の規格に合うような形状、寸法及び材質等に形成し、外棺を火葬しないものとすることができる。これによって、外棺の形状、寸法及び材質等を比較的自由に選択できて、火葬場の規格外となるような形状等に形成することもできる。よって、葬儀を行う者の棺に対する要望を十分に満たすことができる。
【００１５】
また、前記外棺の長手方向の各端部のうち少なくとも一方の端部に前記内棺の出し入れ口を設けると共に、前記内棺を前記出し入れ口に対する出し入れ方向に案内する案内部を設け、更に前記出し入れ口を覆う扉を設けてもよい。このようにすると、内棺が案内部に案内されるので、内棺を外棺に対して簡単に出し入れすることができ、遺体を丁重に扱うことができる。つまり、遺体が納められている内棺を、出し入れ口に通して外棺内に簡単に納めることができるし、外棺内に収納されている内棺を、この出し入れ口から取り出して例えば霊柩車に簡単に乗せることができる。
【００１６】
更に、前記案内部は、前記内棺を支持するローラとすることができる。このようにすると、内棺を移動させるときに、内棺と外棺との間の摩擦抵抗を小さくできる。
【発明の効果】
【００１７】
この発明の棺によると、例えば花等の副葬品を棺内に納めるために、第１及び第２の蓋体を開けたときに、各蓋体を箱体の長手方向の各側壁に装着したり、立て掛けることができるように形成できる。このように形成すると、図１２に示す従来の棺の蓋体のように、壁等に立て掛ける必要がなく、従って、第１及び第２の蓋体を壁や天井、若しくは参列者等に接触させるような事は起こりえない。
【発明を実施するための最良の形態】
【００１８】
以下、本発明に係る棺の実施形態を図１等を参照して説明する。この棺７は、図１に示すように、外棺８の内側に内棺９が収容されているものである。内棺９は、例えば火葬できるように火葬場の規格（火葬炉に収容できて、火葬できるものである等の規格）に合うような形状、寸法及び材質（例えば木製）等に形成してある。そして、外棺８は、火葬されないものであり、例えば火葬場の規格外の形状、寸法及び材質等に形成してある。もちろん、外棺８を火葬場の規格に合う形状等にしてもよい。この外棺８は、外箱体１０と、第１及び第２の外蓋体１１、１２とを備えている。
【００１９】
外箱体１０は、図１に示すように、外形がほぼ直方体の箱状体であり、長手方向に沿って互いに平行して配置された左側壁１３及び右側壁１４、並びに底壁１５を備えている。そして、外箱体１０の幅方向に沿う前側壁及び後側壁は、それぞれ第１及び第２の扉１６、１６で形成されている。これら２組の第１及び第２の扉１６、１６は、内棺９の出し入れ口１７を開閉するためのものである。各組の第１及び第２の扉（１６、１６）、（１６、１６）は、それぞれ同等のものであるので、後側壁を形成するもの（図１の手前側に表れているもの）を説明し、前側壁を形成するものの説明を省略する。
【００２０】
第１及び第２の扉１６、１６は、図１に示すように、それぞれが左右に分かれて開く両開きの扉であって、それぞれが矩形の板状体である。そして、それぞれの外側に位置する各縁部が蝶番１８を介して左側壁１３の縁部、及び右側壁１４の縁部と揺動自在に連結している。図７、図８及び図９は、第１及び第２の扉１６、１６を開いた状態を示す正面図、平面図及び左側面図である。
【００２１】
そして、図１に示すように、第１及び第２の扉１６、１６が閉じた状態で、それぞれの上縁に沿って上部枠１９が配置されている。この上部枠１９は、外箱体１０の横幅方向に沿って配置され、横幅と同等の長さに形成されている。そして、このように配置された左側壁１３、右側壁１４、上部枠１９、及び上部枠１９の各上縁部によって外箱体１０の矩形の開口部２０が形成されている。この開口部２０は、第１及び第２の外蓋体１１、１２によって開閉されるものである。
【００２２】
第１及び第２の外蓋体１１、１２は、図１に示すように、閉蓋状態でそれぞれが開口部２０の長手方向に沿って延びるほぼ矩形の板状体であり、開口部２０の幅方向に沿って配置されて閉蓋状態となるものである。そして、第１及び第２の外蓋体１１、１２の一方の端部側には、第１及び第２の外窓蓋２１、２２が設けられている。この第１及び第２の外窓蓋２１、２２は、それぞれが左右に分かれて開く両開きの扉であって、それぞれが矩形の板状体である。そして、それぞれの外側に位置する各縁部が蝶番２３を介して第１及び第２の外蓋体１１、１２と揺動自在に連結している。図３は、第１及び第２の外窓蓋２１、２２を開いた状態を示す斜視図である。このように、第１及び第２の外窓蓋２１、２２を開くと、第１及び第２の外蓋体１１、１２に形成された矩形の拝顔用外窓２４が開放された状態となる。
【００２３】
なお、図３に示すように、拝顔用外窓２４が形成されている第２の外蓋体１２の内桟２５には、係止突起２６が形成されている。この係止突起２６は、第２の外窓蓋２２が図１に示す閉蓋状態となったときに、第２の外窓蓋２２と当接して、第２の外窓蓋２２を位置決めして保持するためのものである。そして、第１の外窓蓋２１の縁部には、係止部材２７が設けられている。この係止部材２７は、第１の外窓蓋２１が図１に示す閉蓋状態となったときに、第１及び第２の外蓋体１１、１２、並びに第２の外窓蓋２２の表面と当接して、第１の外窓蓋２１を位置決めして保持するためのものである。また、図３に示すように、第１の外蓋体１１の縁部表面には、縦桟２８が設けられている。この縦桟２８は、第１及び第２の外蓋体１１、１２が閉蓋状態となったときに、それぞれの蓋体の互いに向かい合う長手方向に沿う縁部を覆い、見栄えを良くするためのものである。
【００２４】
更に、図４に示すように、一対の各上部枠１９には、突条２９が設けられている。各突条２９は、各上部枠１９の内面に沿って配置され、各上部枠１９から上方に向かって突出している。そして、これら各突条２９に嵌り合うことができる凹部３０が第１及び第２の外蓋体１１、１２のそれぞれに形成されている。各凹部３０は、板状の突起３１の各端部に形成されている。この突起３１は、第１及び第２の外蓋体１１、１２が閉蓋状態にあるときに、互いに向かい合うそれぞれの外蓋体１１、１２の縁部に沿って設けられている。
【００２５】
これらの突条２９及び凹部３０は、図５に示すように、第１及び第２の外蓋体１１、１２を、この外棺８の幅方向に案内して、開閉方向の移動を滑らかに行うことができるようにするものである。そして、第１及び第２の外蓋体１１、１２が閉蓋状態にあるときに、突条２９と凹部３０とが互いに嵌り合っているので、第１及び第２の外蓋体１１、１２が外棺８の長手方向に移動することを係止して、この閉蓋位置に確実に保持することができる。
【００２６】
そして、図４に示すように、各突起３１は、第１及び第２の外蓋体１１、１２の各内面を外箱体１０の左側壁１３及び右側壁１４の外面にそれぞれ対向させた状態で、各突起３１が左側壁１３及び右側壁１４の各上縁部３２にそれぞれ別々に係合可能に形成されている。これによって、第１及び第２の外蓋体１１、１２を、それぞれと対応する左側壁１３及び右側壁１４の各上縁部３２に装着することができる。そして、各突起３１には、板状の外れ止め部３３が設けられている。この外れ止め部３３は、図４に示すように、各突起３１が左側壁１３及び右側壁１４の各上縁部３２に係合した状態で、各上縁部３２の内面と対向するように形成され、第１及び第２の外蓋体１１、１２が各上縁部３２から外れないように留めておくためのものである。
【００２７】
次に、図１に示すように、外棺８の底壁１５の上面に設けられているガイドローラ（案内部）３４等を説明する。このガイドローラは、底壁１５に固定されて設けられている第１のガイドローラ３４を備えている。そして、この第１のガイドローラ３４の両方の各端部に約９０°の範囲で揺動自在に連結する第２及び第３のガイドローラ３５、３６を備えている。この第１のガイドローラ３４と、第２及び第３のガイドローラ３５、３６とは、連結軸３７を介して連結している。
【００２８】
図７、図８及び図９は、第２及び第３のガイドローラ３５、３６を伸ばした状態を示す正面図、平面図及び側面図である。第１、第２及び第３のガイドローラ３４、３５、３６は、水平面上にほぼ一直線に伸びており、外棺８に設けられている内棺９の各出し入れ口１７、１７から外側に張り出した状態となっている。また、図８に示すように、第１、第２及び第３のガイドローラ３４、３５、３６は、それぞれが所定の間隔を隔てて互いに平行して配置されているガイド（３８、３８）、（３８、３８）、（３８、３８）と、各ガイド３８に設けられているローラ３９、３９、・・・とを備えている。
【００２９】
各ローラ３９は、回動自在に各ガイド３８に設けられている。そして、各ローラ３９は、内棺９の底壁４５の下面に当接してこの内棺９を支持し、内棺９を外棺８の各出し入れ口１７、１７に対する出し入れ方向に案内できる方向に取り付けられている。ガイド３８は、図９に示すように、断面形状がＬ字状の部材であり、縦部材３８ａ及び横部材３８ｂを備えている。第１、第２及び第３のガイドローラ３４、３５、３６のそれぞれ対に設けられているガイド３８、３８の互いに平行する縦部材３８ａ、３８ａは、内棺９の横幅よりも少し長い間隔で配置されている。そして、各縦部材３８ａは、ローラ３９上に配置されている内棺９の底壁４５よりも上方に突出しており、内棺９を左右両側から挟み込むように形成されている。これによって、第１〜第３のガイドローラ３４〜３６が内棺９を案内して移動させるときに、内棺９がガイドローラから外れないようにこの縦部材３８ａ、３８ａによって規制することができる。
【００３０】
また、図１に示すように、第１〜第３のガイドローラ３４〜３６には、第２及び第３のガイドローラ３５、３６を、第１のガイドローラ３４に対して垂直に起立させた状態で固定するための固定ピン４０が設けられている。このように、第２及び第３のガイドローラ３５、３６をこの起立位置で固定するのは、外棺８内に収容されている内棺９が、第１のガイドローラ３４上を移動しないように、これら第２及び第３のガイドローラ３５、３６によって規制するためである。つまり、第２及び第３のガイドローラ３５、３６を起立位置に固定すると、第２及び第３のガイドローラ３５、３６の各ローラ３９が、内棺９の前側壁４４及び後側壁４４に当接した状態となり、内棺９を第１のガイドローラ３４上の所定位置に留めておくことができる。
【００３１】
固定ピン４０は、例えば第２のガイドローラ（又は第３のガイドローラ３６）３５を垂直に起立させた状態で、第１のガイドローラ３４のガイド３８の縦部材３８ａと、第２のガイドローラ（又は第３のガイドローラ３６）３５のガイド３８の縦部材３８ａとに設けられた挿通孔に挿通することによって、第２のガイドローラ（又は第３のガイドローラ３６）３５を起立位置で固定することができる。
【００３２】
内棺９は、図１に示すように、外棺８内に形成された収容空間に収容できる大きさに形成されたものであり、内箱体４１と、内蓋体４２とを備えている。内箱体４１は、外形がほぼ直方体の箱状体であり、長手方向に沿って互いに平行して配置された左側壁４３及び右側壁４３、並びに前側壁４４、後側壁４４、及び底壁４５を備えている。そして、内蓋体４２は、内箱体４１の４枚の各側壁４３等の上縁部によって形成された矩形の開口部を開閉することができる矩形の板状体である。そして、内蓋体４２の一方の端部側には、第１及び第２の内窓蓋４６、４６が設けられている。この第１及び第２の内窓蓋４６、４６は、それぞれが左右に分かれて開く両開きの扉であって、それぞれが矩形の板状体である。そして、内窓蓋４６、４６のそれぞれの外側に位置する各縁部が蝶番を介して内蓋体４２と揺動自在に連結している。この内窓蓋４６、４６を開くと、内蓋体４２に形成された矩形の拝顔用内窓が開放された状態となる。
【００３３】
上記のように構成された棺７によると、図１に示すように、第１及び第２の外蓋体１１、１２を外箱体１０の開口部２０の幅方向に沿って配置することによって、この開口部２０を覆うことができる形状であるので、第１及び第２の外蓋体１１、１２のそれぞれの幅Ｗ２を、１枚の蓋体とした場合と比較して小さくすることができる。よって、第１及び第２の外蓋体１１、１２のそれぞれの幅Ｗ２が外箱体１０の高さＨ２よりも小さくなるように形成することが可能である。このように形成すると、図４に示すように、第１及び第２の外蓋体１１、１２を開けたときに、各外蓋体１１、１２の内面を外箱体１０の左側壁１３及び右側壁１４の各外面にそれぞれ対向させた状態で、それぞれに設けられた各突起３１をそれら各側壁１３、１４の上縁部３２、３２に係合させて、第１及び第２の各外蓋体１１、１２を吊り下げて装着すことができる。このように、各外蓋体１１、１２を外箱体１０に装着した状態で、各外蓋体１１、１２の長手方向と平行する突起３１側の縁部が外箱体１０の左側壁１３及び右側壁１４の各上縁部３２よりも上方に突出する量が比較的小さいので、花や遺品等の副葬品を内棺９内に納めるときに、各外蓋体１１、１２が邪魔にならない。
【００３４】
つまり、図１２に示す従来の棺１では、花等の副葬品を棺１内に納めるときに、蓋体３を壁等に立て掛けるが、嵩の大きい蓋体３を箱体２から取り外して壁の所まで持って行くときや、壁に立て掛けられた蓋体３を箱体２の所まで持って来るときに、蓋体３を壁や天井、若しくは参列者等に接触させることがある。これに対して、この実施形態の棺７によると、図４に示すように、第１及び第２の外蓋体１１、１２を外箱体１０に装着できるので、第１及び第２の外蓋体１１、１２を壁や参列者等に接触させるような事は起こりえない。なお、副葬品を内棺９内に納めるまでは、図２及び図４に示すように、内棺９の内蓋体４２を外しておく。内蓋体４２は、例えば出棺する際に内箱体４１に装着する。内蓋体４２を内箱体４１に装着するときは、参列者が比較的少なく広い場所で行う。これによって、内蓋体４２が壁や参列者等に接触しないようにできる。
【００３５】
そして、この実施形態の棺７において、図２に示す閉蓋状態の第１及び第２の外蓋体１１、１２を開蓋状態にするときは、まず、図５に示すように、各外蓋体１１、１２に設けられているそれぞれの凹部３０を、外箱体１０の幅方向に設けられている突条２９に嵌合させた状態で、各外蓋体１１、１２を幅方向の外側に互いに離れる水平方向に移動させる。このようにして、各外蓋体１１、１２を短い移動距離で静かに開蓋位置に向かわせることができる。そして、図６に示すように、各外蓋体１１、１２の内面を外箱体１０の左側壁１３及び右側壁１４の各外面にそれぞれ対向させた状態にして、それぞれに設けられた各突起３１をそれら各側壁１３、１４の上縁部３２に係合させて、第１及び第２の各外蓋体１１、１２を吊り下げて装着する。このようにして、第１及び第２の外蓋体１１、１２を開蓋状態にすることができる。
【００３６】
次に、図６に示す開蓋状態の第１及び第２の外蓋体１１、１２を、図２に示す閉蓋状態にするときは、図６に示す第１及び第２の各外蓋体１１、１２を外箱体１０の左側壁１３及び右側壁１４の上縁部３２から外して、各外蓋体１１、１２に形成されている各凹部３０を突条２９に嵌合させる。そして、この嵌合させた状態で、図５に示すように、各外蓋体１１、１２を幅方向の内側に互いに接近する水平方向に移動させる。そして、第１及び第２の外蓋体１１、１２を互いに当接する位置まで移動させることによって、図２に示す閉蓋状態にすることができる。
【００３７】
また、この棺７は、図３に示すように、第１及び第２の外蓋体１１、１２を開けずに、第１及び第２の外窓蓋２１、２２を開けることによって、内棺９内に納棺されている遺体の拝顔をすることができて便利である。なお、図１に示すように、内棺９が内蓋体４２で閉じられている場合は、外棺８の第１及び第２の外窓蓋２１、２２、並びに内棺９の第１及び第２の内窓蓋４６、４６を開けることによって、拝顔することができる。
【００３８】
更に、この棺７によると、例えば内棺９を火葬できるように火葬場の規格に合い、しかも霊柩車４８に乗せることができる形状、寸法及び材質等に形成し、外棺８を火葬しないし、霊柩車４８にも乗せないものとすることができる。これによって、外棺８の形状、寸法及び材質等を比較的自由に選択できて、火葬場の規格外となるような形状等に形成することもできる。よって、葬儀を行う者の棺に対する要望を十分に満たすことができる。そして、外棺８を火葬しないようにすると、外棺８の複数回の使用が可能であり経済的である。
【００３９】
次に、外棺８内に収容されている内棺９を霊柩車４８に乗せるときの手順を図１０等を参照して説明する。まず、外棺８の内側に内棺９が収容されている棺７を台車４７上に載置する。このとき、内棺９は、図１に示すように、第１のガイドローラ３４上を移動しないように、第２及び第３のガイドローラ３５、３６によって規制されている。そして、内棺９は、内蓋体４２によって閉じられている。次に、図１０に示すように、台車４７を移動させて、例えば棺７の遺体の頭部側を霊柩車４８の後部に接近させる。そして、棺７の霊柩車４８側に設けられている第１及び第２の扉１６、１６を開き、固定ピン４０を外す。そして、第３のガイドローラ３６を、起立位置から伸ばした状態にする。しかる後に、内棺９を第１及び第３のガイドローラ３４、３６上を移動させて、台車４７上から霊柩車４８内に乗せかえる。このようにして、外棺８に収容されている内棺９を霊柩車４８に乗せることができる。次に、第３のガイドローラ３６を起立位置に戻して固定ピン４０によって固定する。そして、第１及び第２の扉１６、１６を閉じる。
【００４０】
また、例えば内棺９を外棺８内に入れるときは、まず、所望の側の第１及び第２の扉１６、１６を開き、固定ピン４０を外す。そして、第３又は第２のガイドローラ３６、３５を、起立位置から伸ばした状態にする。しかる後に、内棺９を第１及び第３（又は第２）のガイドローラ３４、３６、（３５）上を移動させて、外棺８内に移動させる。そして、第３又は第２のガイドローラ３６、３５を、伸ばした状態から起立位置に戻して、固定ピン４０を装着して固定する。そして、第１及び第２の扉１６、１６を閉じる。このようにして、内棺９を外棺８内に入れることができる。
【００４１】
このように、内棺９が第１〜第３のガイドローラ３４〜３６に案内されるので、内棺９を外棺８に対して簡単に出し入れすることができ、遺体を丁重に扱うことができる。つまり、遺体が納められている内棺９を、出し入れ口１７に通して外棺８内に簡単に納めることができるし、外棺８内に収納されている内棺９を、この出し入れ口１７から取り出して例えば霊柩車４８に簡単に乗せることができる。そして、内棺９は、ローラ３９上を移動するので、内棺９と外棺８との間の摩擦抵抗を小さくでき、内棺９を小さい力で移動させることができる。
【００４２】
ただし、上記実施形態では、図４に示すように、第１及び第２の外蓋体１１、１２を外箱体１０に装着することによって開蓋状態にする構成としたが、これに代えて、例えば棺７が載置されている台（図示せず）上に、第１及び第２の各外蓋体１１、１２を横に倒した状態にしてそれらの各側壁１３、１４に立て掛けることもできる。このようにすると、第１及び第２の各外蓋体１１、１２の長手方向と平行する縁部が外箱体１０の側壁上縁部３２から全く突出しないようにできる。よって、第１及び第２の各外蓋体１１、１２が副葬品を納めるときの邪魔にならない。この場合は、第１及び第２の各外蓋体１１、１２に設けられている各突起３１を省略してもよい。
【００４３】
そして、上記実施形態では、図５に示すように、第１及び第２の各外蓋体１１、１２に凹部３０を設け、各凹部３０を外箱体１０に形成されている突条２９に嵌り合わせて、各外蓋体１１、１２を開閉方向に移動させる構成としたが、これに代えて、第１及び第２の各外蓋体１１、１２に凸部を設け、各凸部を外箱体１０に形成されている溝部に嵌り合わせて、各外蓋体１１、１２を開閉方向に移動させる構成としてもよい。
【００４４】
また、上記実施形態では、図３に示すように、第１及び第２の外蓋体１１、１２に拝顔用外窓２４、並びに第１及び第２の外窓蓋２１、２２を設けたが、これらを省略してもよい。
【００４５】
更に、上記実施形態では、図１に示すように、外棺８内に内棺９を収容し、この内棺９内に遺体を収容する構成としたが、これに代えて、内棺９を省略し、外棺８に直接に遺体を収容する構成としてもよい。この場合は、外棺８を火葬できるように火葬場の規格に合い、しかも霊柩車４８に乗せることができる形状、寸法及び材質等に形成する。そして、その場合は、第１及び第２の扉１６、１６を省略して、その箇所の側壁を設けてもよい。
【００４６】
そして、上記実施形態では、図９に示すように、外棺８の両方の各端部に第１及び第２の扉１６、１６を設けた構成としたが、外棺８のいずれか一方の端部に第１及び第２の扉１６、１６を設けた構成としてもよい。
【００４７】
また、図７に二点鎖線で示すように、長さの比較的短い内棺９を使用する場合は、内棺９が第１のガイドローラ３４上を移動しないように固定する必要がある。そのために、係止ピン４９を第１のガイドローラ３４に着脱自在に取り付けることができる。第１のガイドローラ３４には、挿入孔を設けてあり、この挿入孔に係止ピン４９を嵌合させることができる。この長さの短い内棺９は、係止ピン４９と、起立位置に固定された第３のガイドローラ３６とによって移動が規制されている。
【産業上の利用可能性】
【００４８】
以上のように、本発明に係る棺は、蓋体を容易に取り扱うことができるという効果を有する棺、並びに、遺体が納棺される内棺を火葬場の規格等に合うように形成し、外棺が火葬されないものとして、形状、寸法及び材質等を比較的自由に選択できる優れた効果を有する棺等に適用するのに適している。
【図面の簡単な説明】
【００４９】
【図１】この発明の実施形態に係る棺を示す斜視図である。
【図２】同実施形態に係る棺の内蓋体が取り外された状態を示す斜視図である。
【図３】同実施形態に係る棺の第１及び第２の外窓蓋を開いた状態を示す斜視図である。
【図４】同実施形態に係る棺の第１及び第２の外蓋体を外箱体に装着して開いた状態を示す斜視図である。
【図５】同実施形態に係る棺の第１及び第２の外蓋体を外箱体の突条に沿って開閉方向に移動させる状態を示す側面図である。
【図６】同実施形態に係る棺の第１及び第２の外蓋体を外箱体に装着して開いた状態を示す側面図である。
【図７】同実施形態に係る棺の第２及び第３のガイドローラを伸ばした状態を示す正面図である。
【図８】同実施形態に係る棺の第２及び第３のガイドローラを伸ばした状態を示す平面図である。
【図９】同実施形態に係る棺の第２及び第３のガイドローラを伸ばした状態を示す側面図である。
【図１０】同実施形態に係る棺の内棺を霊柩車に乗せかえるときの状態を示す正面図である。
【図１１】同発明の他の実施形態に係る棺であり、内棺を省略して使用される棺を示す斜視図である。
【図１２】従来の棺を示す斜視図である。
【符号の説明】
【００５０】
７  棺
８  外棺
９  内棺
１０  外箱体
１１  第１の外蓋体
１２  第２の外蓋体
１３  左側壁
１４  右側壁
１６  第１及び第２の扉
１７  出し入れ口
２０  開口部
２１  第１の外窓蓋
２２  第２の外窓蓋
２４  拝顔用外窓
２９  突条
３０  凹部
３１  突起
３２  上縁部
３３  外れ止め部
３４  第１のガイドローラ
３５  第２のガイドローラ
３６  第３のガイドローラ
３７  連結軸
３８  ガイド
３９  ローラ
４０  固定ピン
４１  内箱体
４２  内蓋体
４６  第１及び第２の内窓蓋
４７  台車
４８  霊柩車
４９  係止ピン
【図１】
2005218471.tif 000003
【図２】
2005218471.tif 000004
【図３】
2005218471.tif 000005
【図４】
2005218471.tif 000006
【図５】
2005218471.tif 000007
【図６】
2005218471.tif 000008
【図７】
2005218471.tif 000009
【図８】
2005218471.tif 000010
【図９】
2005218471.tif 000011
【図１０】
2005218471.tif 000012
【図１１】
2005218471.tif 000013
【図１２】
2005218471.tif 000014